(57)【要約】      （修正有）【課題】窓枠の開口部を開閉する障子の円滑な回動を確保しながら、閉塞位置の障子を開放側へ回動させるために充分な付勢力を得る窓装置用蹴り出し機構を提供する。【解決手段】ばね鋼の棒状部材であり、両端部４１ａ，４１ｂが棒状の基部４１ｃから略直角に同一方向に折り曲げられた形状を有しているトーションバー４１を備える。トーションバー４１の基部４１ｃと端部４１ｂをそれぞれに内包する筒状部４２ａ、４２ｂを有し、金属製の板材であるブラケット４２を備え、ビス４３によって障子２０の上框２１の左上面に取り付けられている。障子２０が閉塞位置にあるときに、端部４１ａの先端が窓枠１０に係合されるとともに端部４１ｂが障子２０にブラケット４２によって係合されることで基部４１ｃが捻られて、障子２０を閉塞位置から開放位置へ向けて付勢する付勢力を発揮する。【選択図】図１
0003162941.tif 000002
【実用新案登録請求の範囲】
【請求項１】
障子を回動させて窓枠の開口部を開閉する窓装置に用いられ、前記開口部を閉塞する閉塞位置から前記開口部を開放する開放位置へ向けて前記障子を蹴り出す窓装置用の蹴り出し機構において、
棒状であり、両端部が基部から折り曲げられ、前記障子が前記閉塞位置にあるときに前記基部が捻られながら一方の端部が前記窓枠に係合されるとともに他方の端部が前記障子に係合されることで前記障子を前記閉塞位置から前記開放位置へ向けて付勢する付勢力を発揮するトーションバーを備えること
を特徴とする窓装置用の蹴り出し機構。
【請求項２】
請求項１に記載の窓装置用の蹴り出し機構において、
前記トーションバーは、棒状の前記基部が前記障子を回動させる際の回動軸に平行な姿勢で前記障子に回転可能に取り付けられ、前記他方の端部の先端部が前記障子に係合されていることを特徴とする窓装置用の蹴り出し機構。
【請求項３】
請求項２に記載の窓装置用の蹴り出し機構において、
前記窓枠の内壁面には、前記トーションバーの前記一方の端部の先端を係止して長手方向に案内するガイド部が形成されていることを特徴とする窓装置用の蹴り出し機構。
【請求項４】
開口部を有する窓枠と、
前記窓枠に回動可能に取り付けられ、前記窓枠の前記開口部を閉塞する閉塞位置と前記開口部を開放する開放位置との間でその姿勢を変更可能な障子と、
筒状のシリンダー内に内挿される棒状のロッドを外方に突出させるよう付勢する構成を有し、前記シリンダーの後端部または前記ロッドの先端部の何れか一方が前記障子に回転可能に取り付けられるとともに他方が前記窓枠に回転可能に取り付けられて、前記障子を前記閉塞位置から前記開放位置へ向けて付勢するステイダンパーと、
を備える窓装置において、
さらに、前記閉塞位置にある前記障子を開放側へ蹴り出す蹴り出し機構として、請求項１〜請求項３の何れか１項に記載の窓装置用の蹴り出し機構を備えること
を特徴とする窓装置。
【考案の詳細な説明】
【技術分野】
【０００１】
本考案は、窓枠の開口部を開閉する障子の円滑な回動を確保しながら、閉塞位置の障子を開放側へ回動させるために充分な付勢力を得る技術に関する。
【背景技術】
【０００２】
従来より、開口部を有する窓枠と、窓枠に連結部を介して回動可能に取り付けられて窓枠の開口部を閉塞したり開放したりする障子と、障子を開放方向へ付勢するステイダンパーと、を備える窓装置が知られている（例えば特許文献１、２参照）。
【０００３】
ステイダンパーは、筒状のシリンダー内に充填した気体、オイルあるいはスプリングによって棒状のロッドを外方に突出させるよう付勢する構成を有する。そして、ステイダンパーは、窓枠の開口部内に収納される障子と窓枠との間に形成される空間に収納され、シリンダーの後端部が障子または窓枠の何れか一方に取り付けられるとともにロッドの先端部が障子または窓枠の何れか他方に取り付けられて、障子を閉塞位置から開放位置へ向けて付勢している。
【０００４】
ところで、障子が連結部を中心として開放側へ回動させる場合においては、障子の回動方向とステイダンパーのロッドがシリンダーから突出しようとする突出方向とが一致することが望ましい。
【０００５】
しかし、上述のような窓装置においては、閉塞位置にある障子の開放側への回動方向とステイダンパーのロッドの突出方向とがなす角度が大きいため、ステイダンパーからロッドが突出しようとする力（ステイダンパー出力）が閉塞位置の障子を開放側へ回動させるよう付勢する付勢力として有効に活用されない（図８の「ステイのみ」参照）。
【０００６】
このため、ステイダンパー出力を大きくして、閉塞位置の障子を開放側へ回動させるために充分な付勢力を得るようにしている。
【先行技術文献】
【特許文献】
【０００７】
【特許文献１】特開２０００−３１４２６７号公報（第４頁、図１）
【特許文献２】特開昭５８−１６４２９号公報（第１頁、図１）
【考案の概要】
【考案が解決しようとする課題】
【０００８】
しかし、上述のようにステイダンパー出力を大きくすると、閉塞位置の障子を開放側へ回動させるために充分な付勢力が得られる一方で、障子の開放側への回動方向に直交する方向への付勢力も大きくなり、障子が持ち上げられて窓枠に当接したり障子と窓枠との連結部に無理な力が作用したりして障子が円滑に回動しにくくなるという問題があった。
【０００９】
本考案は、このような課題に鑑みなされたものであり、その目的とするところは、窓枠の開口部を開閉する障子の円滑な回動を確保しながら、閉塞位置の障子を開放側へ回動させるために充分な付勢力が得ることを目的とする。
【課題を解決するための手段】
【００１０】
上記課題を解決するためになされた請求項１に係る窓装置用の蹴り出し機構は、障子を回動させて窓枠の開口部を開閉する窓装置に用いられ、前記開口部を閉塞する閉塞位置から前記開口部を開放する開放位置へ向けて前記障子を蹴り出す窓装置用の蹴り出し機構において、棒状であり、両端部が基部から折り曲げられ、前記障子が前記閉塞位置にあるときに前記基部が捻られながら一方の端部が前記窓枠に係合されるとともに他方の端部が前記障子に係合されることで前記障子を前記閉塞位置から前記開放位置へ向けて付勢する付勢力を発揮するトーションバーを備えることを特徴とする。
【００１１】
このように構成された本考案の窓装置用の蹴り出し機構によれば、蹴り出し機構のトーションバーが、障子が閉塞位置にあるときに基部が捻られながら一方の端部が窓枠に係合されるとともに他方の端部が障子に係合されることで障子を閉塞位置から開放位置へ向けて付勢する付勢力を発揮するので（図８の「ステイ＋トーションバー」参照）、ステイダンパーの出力を大きくしなくても、蹴り出し機構のトーションバーの作用によって障子を開放側へ蹴り出すことができる。また、ステイダンパーの出力を大きくしなくてもよいので、従来構成のような障子を持ち上げる力が発生せず、障子の円滑な回動を確保することができる。
【００１２】
したがって、窓枠の開口部を開閉する障子の円滑な回動を確保しながら、閉塞位置の障子を開放側へ回動させるために充分な付勢力を得ることができる。
また、本考案の窓装置によれば、上述のように、ステイダンパーの出力を大きくしなくてもよく、障子の円滑な回動を確保できるので、障子を開放位置から閉塞位置へ回動させるにも要する力も小さくて済む。例えば障子に連結したワイヤーを巻き取りドラムに巻き取って障子を開放位置から閉塞位置へ回動させる構成の場合に、巻き取りドラムを回転させるハンドルの操作力が軽くて済むといった具合である。
【００１３】
また、本考案の窓装置によれば、蹴り出し機構が有する付勢手段としてトーションバーを採用しているので、コイルばねなど他の構成を付勢手段として採用する場合に比べて蹴り出し機構の省スペース化を図ることができる。
【００１４】
請求項２に係る窓装置用の蹴り出し機構は、請求項１に記載の窓装置用の蹴り出し機構において、前記トーションバーは、棒状の前記基部が前記障子を回動させる際の回動軸に平行な姿勢で前記障子に回転可能に取り付けられ、前記他方の端部の先端部が前記障子に係合されていることを特徴とする。
【００１５】
このように構成された本考案の窓装置用の蹴り出し機構によれば、充分な付勢力を確保しながら、当該蹴り出し機構の小型化を図ることができる。
請求項３に係る窓装置用の蹴り出し機構は、請求項２に記載の窓装置用の蹴り出し機構において、前記窓枠の内壁面には、前記トーションバーの前記一方の端部の先端を係止して長手方向に案内するガイド部が形成されていることを特徴とする。
【００１６】
このように構成された本考案の窓装置用の蹴り出し機構によれば、当該蹴り出し機構による付勢力を、開放側へ回動する障子へ効果的に作用させることができる。
なお、本考案は、開口部を有する窓枠と、窓枠に連結部を介して回動可能に取り付けられて窓枠の開口部を閉塞したり開放したりする障子と、障子を開放方向へ付勢するステイダンパーと、を備える窓装置にも適用可能である。
【００１７】
具体的には、請求項４に係る窓装置用の蹴り出し機構は、開口部を有する窓枠と、前記窓枠に回動可能に取り付けられ、前記窓枠の前記開口部を閉塞する閉塞位置と前記開口部を開放する開放位置との間でその姿勢を変更可能な障子と、筒状のシリンダー内に内挿される棒状のロッドを外方に突出させるよう付勢する構成を有し、前記シリンダーの後端部または前記ロッドの先端部の何れか一方が前記障子に回転可能に取り付けられるとともに他方が前記窓枠に回転可能に取り付けられて、前記障子を前記閉塞位置から前記開放位置へ向けて付勢するステイダンパーと、を備える窓装置において、さらに、前記閉塞位置にある前記障子を開放側へ蹴り出す蹴り出し機構として、請求項１〜請求項３の何れか１項に記載の窓装置用の蹴り出し機構を備えることを特徴とする。
【図面の簡単な説明】
【００１８】
【図１】本考案が適用された外倒し窓の概略構成を示す平面図
【図２】図１のＡＡ断面図
【図３】図１のＡＡ断面図
【図４】本考案が適用された突出し窓の概略構成を示す側断面図
【図５】本考案が適用された内倒し窓の概略構成を示す側断面図
【図６】別実施形態の外倒し窓の概略構成を示す側断面図（１）
【図７】別実施形態の外倒し窓の概略構成を示す側断面図（２）
【図８】本発明の蹴り出し機構と従来の蹴り出し機構を比較した結果を示す説明図
【考案を実施するための形態】
【００１９】
以下に本考案の実施形態を図面とともに説明する。
［１．外倒し窓１の構成の説明］
図１に示すように、外倒し窓１は、窓枠１０と、障子２０と、左右のステイダンパー３０と、左右のトーションバーユニット４０と、ロック機構（図示省略）と、巻取り機構(図示省略)と、を備える。以下、順に説明する。
【００２０】
［１．１．窓枠１０の構成の説明］
図１に示すように、窓枠１０は、アルミ製の押出材である上枠部材１１、下枠部材１２(図１では図示省略、図２参照)、左枠部材１３および右枠部材１４を四辺枠に連結した構成を有している。この窓枠１０は、建物などの構造物の開口部に取り付けられる。
【００２１】
また、図２に示すように、窓枠１０の下枠部材１２には、後述する障子２０の下框２２を回動可能に連結するための蝶番１２ａが形成されている。
また、窓枠１０の右枠部材１４の下端付近には、右側のステイダンパー３０のロッド３２の先端部３２ａを回動可能に取り付けるためのブラケット１５がビス１６によって固定されている。なお、窓枠１０の左枠部材１３の下端付近にも、窓枠１０の右枠部材１４と同様に、左側のステイダンパー３０のロッド３２の先端部３２ａを回動可能に取り付けるためのブラケットがビスによって固定されているが、ここではその図示を省略する。
【００２２】
また、窓枠１０の右枠部材１４には、トーションバーユニット４０のトーションバー４１の端部４１ａを係止して上下方向に案内するガイド部１７が形成されている。このガイド部１７は、閉塞側が開放側よりも一段高くなるよう形成された段差であり、障子２０の閉塞時にトーションバー４１の端部４１ａが当接する位置に、右枠部材１４の内壁面に右枠部材１４の長手方向に沿って形成されている。なお、窓枠１０の左枠部材１３にも、窓枠１０の右枠部材１４と同様のガイド部が形成されているが、ここではその図示を省略する。
【００２３】
［１．２．障子２０の構成の説明］
図１に示すように、障子２０は、窓枠１０と同様に、アルミ製の押出材である上框２１、下框２２(図１では図示省略、図２参照)、左框２３および右框２４を四辺枠に連結した内部にガラス板２５を内包する構成を有している。また、障子２０は、窓枠１０の内部に形成された空間(開口部)に取り付けられている。具体的には、図２に示すように、下框２２の下部に形成された蝶番２２ａが窓枠１０の下枠部材１２の蝶番１２ａに取り付けられており、障子２０は、下框２２を中心として開放側に向けて回動可能である（図３（ｂ）参照）。このことにより、障子２０は、窓枠１０の開口部を閉塞する位置（閉塞位置、図３（ｂ）参照）と、閉塞位置から開放側へ移動して窓枠１０の開口部を開放する位置（開放位置、図２参照）との間でその姿勢を変更可能である。
【００２４】
なお、窓枠１０の右枠部材１４と閉塞位置にある障子２０の右框２４との間には空間が形成され、この空間に右側のステイダンパー３０およびトーションバーユニット４０が収納されている（図２参照）。左側についても同様である。
【００２５】
また、図２に示すように、障子２０の左框２３の上端付近には、左側のステイダンパー３０のシリンダー３１の後端部３１ａを回動可能に取り付けるためのブラケット２６がビス２７によって固定されている。なお、障子２０の右框２４は、障子２０の左框２３と同様に、右側のステイダンパー３０のシリンダー３１の後端部３１ａを回動可能に取り付けるためのブラケットがビスによって固定されているが、ここではその図示を省略する。
【００２６】
［１．３．ステイダンパー３０の構成の説明］
次に、ステイダンパー３０についてその構成を説明する。なお、図２および図３では、障子２０の左框２３にステイダンパー３０のシリンダー３１の後端部３１ａが取り付けられた様子、および窓枠１０の右枠部材１４にステイダンパー３０のロッド３２の先端部３２ａが取り付けられた様子のみを図示している。
【００２７】
ステイダンパー３０は、筒状のシリンダー３１内に充填した気体、オイルあるいはスプリングによって棒状のロッド３２を外方に突出させるよう付勢する構成を有する。そして、ステイダンパー３０は、シリンダー３１の後端部３１ａが障子２０の左框２３（または右框２４）のブラケット２６に回転可能に取り付けられるとともにロッド３２の先端部３２ａが窓枠１０の左枠部材１３（または右枠部材１４）のブラケット１５に回転可能に取り付けられ、障子２０が閉塞位置にある際にシリンダー３１の後端部３１ａがロッド３２の先端部３２ａよりも開放側へ傾斜する姿勢となり、障子２０を閉塞位置から開放位置へ向けて付勢する。
【００２８】
［１．４．トーションバーユニット４０の構成の説明］
次に、左側のトーションバーユニット４０についてその構成を説明する。なお、右側のトーションバーユニット４０については、左側のトーションバーユニット４０とは左右対称に構成されているのでここでは詳細な説明は省略する。以下、左側のトーションバーユニット４０を単にトーションバーユニット４０と称す。
【００２９】
トーションバーユニット４０は、トーションバー４１と、ブラケット４２と、を備える。
トーションバー４１は、ばね鋼の棒状部材であり、両端部４１ａ，４１ｂが棒状の基部４１ｃから略直角に同一方向に折り曲げられた形状を有している。
【００３０】
なお、トーションバー４１の各部の長さ寸法などの詳細な設定については次のようになっている。まず、基部４１ｃの長さ寸法については、障子２０の上框２１の長手方向の長さ寸法の半分以下であり、且つ障子２０の上框２１に取り付けられる滑車５０や滑車５０に配索されるワイヤー５１などに干渉しないよう設定されている。また、端部４１ａの長さ寸法については、障子２０の左右の内壁面の縦方向の長さ寸法よりも小さく、且つ障子２０の回動時にステイダンパー３０に干渉しないよう設定されている。また、端部４１ｂの長さ寸法については、障子２０の上框２１の幅寸法よりも小さく設定されている。また、端部４１ａの曲げ方向および端部４１ｂの曲げ方向については、障子２０の回動時において端部４１ａの先端が窓枠１０の左枠部材１３のガイド部１７に当接する際に、端部４１ａがガイド部１７の法線に対して下向きに傾斜する状態となり、且つ端部４１ｂが障子２０の上框２１の上面に沿う状態となるよう設定されている（図３（ａ）参照）。また、上述のようにガイド部１７へ当接する端部４１ａの先端については、Ｒ形状になっている。
【００３１】
ブラケット４２は、金属製の板材であり、トーションバー４１の基部４１ｃを内包可能な筒状部４２ａとトーションバー４１の端部４１ｂを内包可能な筒状部４２ｂとが形成されている。そして、ブラケット４２は、筒状部４２ａにトーションバー４１の基部４１ｃが内包されるとともに、筒状部４２ｂにトーションバー４１の端部４１ｂが内包される状態で、ビス４３によって障子２０の上框２１の左上面に取り付けられている。
【００３２】
このように構成されたトーションバーユニット４０は、障子２０が閉塞位置にあるときに、端部４１ａの先端が窓枠１０の左枠部材１３のガイド部１７に係合されるとともに端部４１ｂが障子２０の上框２１にブラケット４２によって係合されることで基部４１ｃが捻られて、障子２０を閉塞位置から開放位置へ向けて付勢する付勢力を発揮する。
【００３３】
なお、トーションバーユニット４０と窓枠１０の左枠部材１３のガイド部１７とが、閉塞位置にある障子２０を開放側へ蹴り出す蹴り出し機構を構成する。
［１．５．その他の構成の説明］
開放位置にある障子２０を閉塞位置に回動させるには巻取り機構を用いる。この種の巻取り機構は、障子２０の上部および窓枠１０の上部それぞれに取り付けられた滑車５０に掛けられたワイヤー５１を、窓枠１０側に配置された巻取りドラムに巻き取り可能に構成される。なお、巻取り機構の構成については公知技術に従うので、ここではその詳細な説明は省略する。
【００３４】
また、閉塞位置にある障子２０をロックするにはロック機構を用いる。この種のロック機構は、閉塞位置にある障子２０の前方に爪部材を突出させることで閉塞位置にある障子２０を係止して開放側への回動を許可しない状態と、閉塞位置にある障子２０の前方から前記爪部材を退避させて閉塞位置にある障子２０を係止せずに開放側への回動を許可する状態とで切替可能に構成される。なお、ロック機構の構成については公知技術に従うので、ここではその詳細な説明は省略する。
【００３５】
［２．外倒し窓１の動作の説明］
次に、外倒し窓１の動作について説明する。
図１および図２に例示する障子２０が開放位置にあるときに、滑車５０に掛けられたワイヤー５１を図示しない巻取りドラムに巻き取っていくと、障子２０が開放位置から閉塞位置（図３（ｂ）参照）へと近づいていき、障子２０と窓枠１０との間に取り付けられたステイダンパー３０が押し縮められていく。
【００３６】
途中、トーションバー４１の端部４１ａの先端が窓枠１０の右枠部材１４のガイド部１７に当接する（図３（ａ）参照）。
障子２０が閉塞位置へ更に近づくと、トーションバー４１の端部４１ａの先端が右枠部材１４のガイド部１７に案内されながら下方へ移動し、これに伴ってトーションバー４１の基部４１ｃが徐々に捻られていく。
【００３７】
障子２０が閉塞位置になったら（図３（ａ）参照）、閉塞位置にある障子２０の前方にロック機構の爪部材を突出させることで閉塞位置にある障子２０を係止して開放側への回動を許可しない状態（回動不許可状態）とする。
【００３８】
このとき、捻られたトーションバー４１の基部４１ｃが障子２０を閉塞位置から開放位置へ向けて付勢する付勢力を発揮する状態となる。
障子２０を開放側に回動させるには、図示しないロック機構の爪部材を、閉塞位置にある障子２０の前方から退避させる。すると、捻られたトーションバー４１の基部４１ｃによる付勢力によって閉塞位置にある障子２０が開放側へ蹴り出されて回動し始める。なお、トーションバー４１の基部４１ｃによる付勢力は、基部４１ｃの捻りが解消されるに従って小さくなるが、障子２０の開放側への回動角度が大きくなるに従ってステイダンパー３０による付勢力が大きくなっていき、障子２０は開放位置まで回動する（図２参照）。
【００３９】
［３．実施形態の効果］
（１）このように本実施形態の外倒し窓１によれば、蹴り出し機構を構成する左側のトーションバーユニット４０が、障子２０が閉塞位置にあるときに、端部４１ａの先端が窓枠１０の左枠部材１３のガイド部１７に係合されるとともに端部４１ｂが障子２０の上框２１にブラケット４２によって係合されることで基部４１ｃが捻られて、障子２０を閉塞位置から開放位置へ向けて付勢する付勢力を発揮する（図８の「ステイ＋トーションバー」参照）。なお、右側のトーションバーユニット４０についても同様である。
【００４０】
このことにより、ステイダンパー３０の出力を大きくしなくても、蹴り出し機構を構成するトーションバーユニット４０の作用によって障子２０を開放側へ蹴り出すことができる。また、ステイダンパー３０の出力を大きくしなくてもよいので、従来構成のような障子２０を持ち上げる力が発生せず、障子２０の円滑な回動を確保することができる。
【００４１】
したがって、障子２０の円滑な回動を確保しながら、閉塞位置の障子２０を開放側へ向けて蹴り出すために充分な付勢力を得ることができる。
（２）また、本実施形態の外倒し窓１によれば、上述のように、ステイダンパー３０の出力を大きくしなくてもよく、障子２０の円滑な回動を確保できるので、障子２０を開放位置から閉塞位置へ回動させるにも要する力も小さくて済む。例えば障子２０に連結したワイヤー５１を巻取り機構の巻き取りドラムに巻き取って障子２０を開放位置から閉塞位置へ回動させる構成の場合に、巻き取りドラムを回転させるハンドルの操作力が軽くて済むといった具合である。
【００４２】
（３）また、本実施形態の外倒し窓１によれば、蹴り出し機構が有する付勢手段としてトーションバー４１を採用しているので、コイルばねなど他の構成を付勢手段として採用する場合に比べて蹴り出し機構の省スペース化を図ることができる。
【００４３】
［４．他の実施形態］
以上、本考案の一実施形態について説明したが、本考案は上記実施形態に限定されるものではなく、以下のような様々な態様にて実施することが可能である。
【００４４】
（１）上記実施形態では、本考案を外倒し窓１に適用しているが、これには限られず、障子を回動させて窓枠の開口部を開閉する窓装置であれば本考案を適用可能である。
（１−１）例えば、本考案を、図４に例示するように、窓枠１１０の上端部を中心として障子１２０を回動可能な突出し窓１０１に適用してもよい。この場合、上述のトーションバーユニット４０は、外倒し窓１の場合とは異なり、障子１２０の下端に取り付けられる。
【００４５】
（１−２）また、本考案を、図５に例示するように、窓枠２１０の下端部を中心として障子２２０を室内側へ回動可能な内倒し窓２０１に適用してもよい。この場合、上述のトーションバーユニット４０は、外倒し窓１の場合と同様に、障子２２０の上端に取り付けられる。
【００４６】
（１−３）また、図示しないが、本考案を、窓枠の左右端部の一方を中心として障子を回動可能な窓装置に適用してもよい。
（２）また、上記実施形態では、トーションバーユニット４０を障子２０に取り付けているが、これには限られず、図６に例示するように、トーションバーユニット１４０を窓枠１０に取り付けてもよい。具体的には、トーションバー４１を、ブラケット１４２を用いて窓枠１０の上枠部材１１の下面に取り付ける。なおこの場合、障子２０の左框２３（右框２４）が、トーションバー４１の端部４１ａを係止して上下方向に案内するガイド部として機能する。
【００４７】
（３）また、上記実施形態では、トーションバー４１をステイダンパー３０とは別構成としているが、これには限られず、図７に例示するように、トーションバー３４１をステイダンパー３３０と一体構成としてもよい。
【００４８】
具体的には、ステイダンパー３３０のシリンダー３３１の後端部３３１ａに形成された係止孔３３１ｂに、一方の端部３４１ａを基部３４１ｃから折り曲げた構成を有するトーションバー３４１の基部３４１ｃを挿入することで、トーションバー３４１をステイダンパー３３０と一体構成とする。なおこの場合、例えば係止孔３３１ｂの手前側の径寸法をトーションバー３４１の基部３４１ｃの径寸法よりも大きくするとともに、係止孔３３１ｂの奥側の径寸法をトーションバー３４１の基部３４１ｃの径寸法よりも小さくする。そして、基部３４１ｃを係止孔３３１ｂの奥側まで挿入すれば、係止孔３３１ｂの手前側ではトーションバー３４１の基部３４１ｃが回転可能になるとともに、係止孔３３１ｂの奥側ではトーションバー３４１の基部３４１ｃが回転不可能となり、障子２０が閉塞位置にあるときに、端部３４１ａの先端が窓枠１０のガイド部１７に係合されるとともに基部３４１ｃの先端部が係止孔３３１ｂの奥側で係合されることで基部３４１ｃが捻られて、障子２０を閉塞位置から開放位置へ向けて付勢する付勢力を発揮する。
【符号の説明】
【００４９】
１…外倒し窓、１０…窓枠、１１…上枠部材、１２…下枠部材、１３…左枠部材、１４…右枠部材、１５…ブラケット、１６…ビス、１７…ガイド部、２０…障子、２１…上框、２２…下框、２３…左框、２４…右框、２５…ガラス板、２６…ブラケット、２７…ビス、３０…ステイダンパー、３１…シリンダー、３２…ロッド、４０…トーションバーユニット、４１…トーションバー、４２…ブラケット、４３…ビス、５０…滑車、５１…ワイヤー、１０１…突出し窓、１１０…窓枠、１２０…障子、１４０…トーションバーユニット、１４２…ブラケット、２０１…内倒し窓、２１０…窓枠、２２０…障子、３３０…ステイダンパー、３３１…シリンダー、３３２…ロッド、３４１…トーションバー
【図１】
0003162941.tif 000003
【図２】
0003162941.tif 000004
【図３】
0003162941.tif 000005
【図４】
0003162941.tif 000006
【図５】
0003162941.tif 000007
【図６】
0003162941.tif 000008
【図７】
0003162941.tif 000009
【図８】
0003162941.tif 000010